(57)【要約】【課題】  定着部を入れ替えて使用する場合においても、出力される記録材の画質が悪化することを抑制することを目的とする。【解決手段】  画像形成装置１００は、画像形成部３０９と、画像形成装置１００の本体に着脱可能な定着部１５０と、定着部１５０でのジャムを検知するジャム検知部１５３、１５５と、ジャムの解消に伴う回転体１５１のクリーニング処理を実行させる実行部３０１と、前記クリーニング処理が実行されたか否かに対応する情報を定着部１５０の記憶部１５４に記録する記録部３０１と、報知部１８０と、を有する。実行部３０１は、画像形成装置１００の本体に装着された定着部１５０の記憶部１５４から取得する情報が前記クリーニング処理が実行されていないことを示す場合、報知部１８０が報知を行う前に前記クリーニング処理を実行させる。【選択図】  図６
2017015914.tif 000002
【特許請求の範囲】
【請求項１】
記録材に画像を形成する画像形成装置であって、
記録材に未定着トナー像を形成する画像形成部と、
前記画像形成装置の本体に着脱可能な定着部であって、前記画像形成部により形成された未定着トナー像を記録材に定着処理するとき記録材の未定着トナー像が形成された面に接する回転体を備える定着部と、
前記定着部でのジャムを検知するジャム検知部と、
前記ジャム検知部が検知したジャムの解消に伴う前記回転体のクリーニング処理を実行させる実行部と、
前記定着部に設けられ、情報を記憶する記憶部と、
前記実行部により前記クリーニング処理が実行されたか否かに対応する情報を前記記憶部に記録する記録部と、
前記画像形成装置が記録材への画像形成を実行できる状態であることを操作者に報知する報知部と、
を有し、
前記実行部は、前記画像形成装置の本体に装着された前記定着部の前記記憶部から取得する情報が前記クリーニング処理が実行されていないことを示す場合、前記報知部が報知を行う前に前記クリーニング処理を実行させることを特徴とする画像形成装置。
【請求項２】
前記画像形成装置の本体に装着された前記定着部の前記記憶部から取得する情報が前記クリーニング処理が実行済みであることを示す場合、前記実行部は前記クリーニング処理を実行させず、前記報知部は前記画像形成装置が記録材への画像形成を実行できる状態となったことに伴い報知を行うことを特徴とする請求項１に記載の画像形成装置。
【請求項３】
前記クリーニング処理が中断された場合、前記記録部は前記クリーニング処理が実行されていないことを示す情報を前記記憶部に記録することを特徴とする請求項１又は２のいずれか１項に記載の画像形成装置。
【請求項４】
前記回転体をクリーニングするクリーニング部を有し、
前記実行部は、前記クリーニング処理を前記クリーニング部に実行させることを特徴とする請求項１乃至３のいずれか１項に記載の画像形成装置。
【請求項５】
前記実行部は、前記画像形成装置の本体に装着された前記定着部の前記記憶部から取得する情報が前記クリーニング処理が中断されたことを示す場合、前記報知部が報知を行う前に、前記クリーニング処理よりも前記回転体をクリーニングする時間が短いクリーニング処理を実行させることを特徴とする請求項１又は２のいずれか１項に記載の画像形成装置。
【請求項６】
第１のモードと第２のモードとを含む複数のモードの中から前記実行部に実行させる１つのモードを選択させる選択部を有し、
前記第１のモードは、前記画像形成装置の本体に装着された前記定着部の前記記憶部から取得する情報が前記クリーニング処理が中断されたことを示す場合、前記報知部が報知を行う前に前記クリーニング処理を実行させるモードであって、
前記第２のモードは、前記画像形成装置の本体に装着された前記定着部の前記記憶部から取得する情報が前記クリーニング処理が中断されたことを示す場合、前記報知部が報知を行う前に前記クリーニング処理よりも前記回転体をクリーニングする時間が短いクリーニング処理を実行させるモードであることを特徴とする請求項１又は２のいずれか１項に記載の画像形成装置。
【請求項７】
前記回転体をクリーニングするクリーニング部を有し、
前記実行部は、前記クリーニング処理と前記クリーニング処理よりも前記回転体をクリーニングする時間が短いクリーニング処理とを前記クリーニング部に実行させることを特徴とする請求項５又は６のいずれか１項に記載の画像形成装置。
【請求項８】
前記記録部は、前記ジャム検知部が前記定着部でのジャムを検知したことに応じて前記クリーニング処理が実行されていないことを示す情報を前記記憶部に記録することを特徴とする請求項１乃至７のいずれか１項に記載の画像形成装置。
【請求項９】
前記記録部は、前記実行部による前記クリーニング処理が実行されてから前記画像形成装置が記録材への画像形成を開始するまでの間に、前記クリーニング処理が実行済みであることを示す情報を前記記憶部に記録することを特徴とする請求項８に記載の画像形成装置。
【請求項１０】
前記記録部は、前記実行部による前記クリーニング処理が実行されたことに応じて前記クリーニング処理が実行済みであることを示す情報を前記記憶部に記録することを特徴とする請求項８に記載の画像形成装置。
【請求項１１】
前記定着部を前記画像形成装置の本体から取り出すための開口部を開閉する開閉部を有し、
前記記録部は、前記ジャム検知部が前記定着部でのジャムを検知してから初めて前記開閉部が開放されたことに応じて前記クリーニング処理が実行されていないことを示す情報を前記記憶部に記録し、前記実行部による前記クリーニング処理が実行された後であって前記ジャム検知部により前記定着部でのジャムが検知されていない状態で前記開閉部が開放されたことに応じて前記クリーニング処理が実行済みであることを示す情報を前記記憶部に記録することを特徴とする請求項１乃至７のいずれか１項に記載の画像形成装置。
【請求項１２】
前記定着部を前記画像形成装置の本体から取り出すための開口部を開閉する開閉部と、
前記開閉部が閉じられたことを検知する開閉検知部と、
を有し、
前記実行部は、前記開閉部が閉じられたことを前記開閉検知部が検知したことに伴い前記画像形成装置の本体に装着された前記定着部の前記記憶部から情報を取得することを特徴とする請求項１乃至１１のいずれか１項に記載の画像形成装置。
【請求項１３】
前記画像形成装置を起動する電源スイッチを有し、
前記実行部は、前記電源スイッチがオンになったことに伴い前記画像形成装置の本体に装着された前記定着部の前記記憶部から情報を取得することを特徴とする請求項１乃至１２のいずれか１項に記載の画像形成装置。
【請求項１４】
前記実行部は、前記記憶部から取得する情報に拘わらず、前記報知部が報知を行う前に前記定着部が定着処理を開始できる状態とするためのウォームアップ処理を前記定着部に実行させ、
前記クリーニング部は、前記ウォームアップ処理中に前記回転体をクリーニングすることを特徴とする請求項４又は７のいずれか１項に記載の画像形成装置。
【請求項１５】
前記定着部は、前記回転体を加熱する加熱部と、前記回転体の温度を検知する温度検知部と、を有し、
前記実行部は、前記画像形成装置の本体に装着された前記定着部の前記記憶部から取得する情報が前記クリーニング処理が実行されていないことを示す場合、前記加熱部により前記回転体が所定の温度になったことを前記温度検知部が検知したことに伴い前記クリーニング処理を開始させることを特徴とする請求項１乃至１４のいずれか１項に記載の画像形成装置。
【請求項１６】
前記定着部に設けられ、前記定着処理するためのニップ部を前記回転体とともに形成する他の回転体を有し、
前記クリーニング部は、前記回転体により従動回転しながら前記回転体からトナーを回収する回収回転体と、前記回収回転体の表面に当接して前記回収回転体からトナーを除去するためのウェブと、前記ウェブが巻きつけられたローラと、前記ウェブを巻き取る巻き取りローラと、を有し、前記巻き取りローラを断続的に回転させることによりクリーニングすることを特徴とする請求項４又は７又は１４のいずれか１項に記載の画像形成装置。
【請求項１７】
前記クリーニング部は、前記回転体により従動回転しながら前記回転体からトナーを除去するためのウェブと、前記ウェブが巻きつけられたローラと、前記ウェブを巻き取る巻き取りローラと、を有し、前記巻き取りローラを断続的に回転させることによりクリーニングすることを特徴とする請求項４又は７又は１４のいずれか１項に記載の画像形成装置。
【請求項１８】
記録材に画像を形成する画像形成装置であって、
記録材に未定着トナー像を形成する画像形成部と、
前記画像形成装置の本体に着脱可能な定着部であって、前記画像形成部により形成された未定着トナー像を記録材に定着処理するとき記録材の未定着トナー像が形成された面に接する回転体を備える定着部と、
前記定着部でのジャムを検知するジャム検知部と、
前記ジャム検知部が検知したジャムの解消に伴う前記回転体のクリーニング処理を実行させる実行部と、
前記定着部に設けられ、情報を記憶する記憶部と、
前記実行部により前記クリーニング処理が実行されたか否かに対応する情報を前記記憶部に記録する記録部と、
を有し、
前記実行部は、前記画像形成装置の本体に装着された前記定着部の前記記憶部から取得する情報が前記クリーニング処理が実行されていないことを示す場合、前記定着部にて定着処理が開始されるまでに前記クリーニング処理を実行させることを特徴とする画像形成装置。
【請求項１９】
前記回転体をクリーニングするクリーニング部を有し、
前記実行部は、前記クリーニング処理を前記クリーニング部に実行させることを特徴とする請求項１８に記載の画像形成装置。
【請求項２０】
記録材に画像を形成する画像形成装置であって、
記録材に未定着トナー像を形成する画像形成部と、
前記画像形成部において未定着トナー像が形成可能な記録材の種類に対応した複数の定着部であって、前記画像形成部により形成された未定着トナー像を記録材に定着処理するとき記録材の未定着トナー像が形成された面に接する回転体と、前記回転体をクリーニングするクリーニング部と、情報を記憶する記憶部と、を備えた複数の定着部の中のいずれか１つが装着される装着部と、
前記装着部に装着された前記定着部でのジャムを検知するジャム検知部と、
前記ジャム検知部が検知したジャムの解消に伴う前記装着部に装着された前記定着部の回転体のクリーニング処理を前記クリーニング部に実行させる実行部と、
前記実行部により前記クリーニング処理が実行されたか否かに対応する情報を前記装着部に装着された前記定着部の記憶部に記録する記録部と、
前記画像形成装置が記録材への画像形成を実行できる状態であることを操作者に報知する報知部と、
を有し、
前記実行部は、前記装着部に装着された前記定着部の前記記憶部から取得する情報が前記クリーニング処理が実行されていないことを示す場合、前記報知部が報知を行う前に前記クリーニング処理を実行させることを特徴とする画像形成装置。
【請求項２１】
画像形成を実行する記録材の種類を操作者に選択させる選択部と、を有し、
前記記憶部は、前記定着部による定着処理が制限される記録材の種類に対応する制限情報を記憶し、
前記選択部は、前記装着部に装着された前記定着部の前記記憶部から取得する前記制限情報に応じて、前記定着部による定着処理が制限される記録材の種類が選択されることを制限することを特徴とする請求項２０に記載の画像形成装置。
【請求項２２】
画像形成を実行する記録材の種類を操作者に選択させる選択部を有し、
前記記憶部は、前記定着部の種類を識別するための識別情報を記憶し、
前記選択部は、前記装着部に装着された前記定着部の前記記憶部から取得する前記識別情報に応じて、選択可能な記録材の種類を制限することを特徴とする請求項２０に記載の画像形成装置。
【請求項２３】
画像形成装置に着脱可能な定着装置であって、
記録材に形成された未定着トナー像を記録材に定着処理するとき記録材の未定着トナー像が形成された面に接する回転体と、
前記回転体をクリーニングするクリーニング部と、
前記定着装置でのジャムの解消に伴い前記クリーニング部によりクリーニング処理が実行されたか否かに対応する情報を記憶可能な記憶部と、
を有することを特徴とする定着装置。
【発明の詳細な説明】
【技術分野】
【０００１】
本発明は、電子写真方式の画像形成装置、及び、電子写真方式の画像形成装置に用いられる定着装置に関する。
【背景技術】
【０００２】
電子写真方式の画像形成装置には、記録材に形成された未定着トナー像を記録材に定着する定着器（定着部）が設けられている。より高品質な成果物を得るために、定着する記録材のサイズや種類に応じて使用目的の異なる定着器を入れ替えて使用する方法が知られている。特許文献１では、定着器の識別情報を検出し、決定された印刷ジョブの仕様に対して適切でない定着器を認識した場合にユーザに知らせる方法が提案されている。
【０００３】
一方、定着器においてジャムが発生した場合、定着器の定着部材（回転体）に未定着トナーが付着する恐れがある。そのため、ユーザにより定着器に詰まった記録材を取り除くジャム処理が行われた後、定着部材のクリーニングが行われる。
【先行技術文献】
【特許文献】
【０００４】
【特許文献１】特開２０１１−５６９４５号公報
【発明の概要】
【発明が解決しようとする課題】
【０００５】
しかしながら、複数の定着器を入れ替えて使用するシステムを採用した場合、定着器に対しジャム処理後のクリーニングが実行される前に、他の定着器と交換されてしまう恐れがある。このように、クリーニングが実行されずに取り外された定着器が再度画像形成装置に装着された場合、クリーニングが実行されないまま印刷が開始されてしまう。その結果、定着部材に付着した未定着トナーにより出力物である記録材が汚れてしまう恐れがあった。
【０００６】
そこで、本発明の目的は、定着部を入れ替えて使用する場合においても、画質が悪化することを抑制することである。
【課題を解決するための手段】
【０００７】
上記の目的を達成するために、第１の発明は、
記録材に画像を形成する画像形成装置であって、
記録材に未定着トナー像を形成する画像形成部と、
前記画像形成装置の本体に着脱可能な定着部であって、前記画像形成部により形成された未定着トナー像を記録材に定着処理するとき記録材の未定着トナー像が形成された面に接する回転体を備える定着部と、
前記定着部でのジャムを検知するジャム検知部と、
前記ジャム検知部が検知したジャムの解消に伴う前記回転体のクリーニング処理を実行させる実行部と、
前記定着部に設けられ、情報を記憶する記憶部と、
前記実行部により前記クリーニング処理が実行されたか否かに対応する情報を前記記憶部に記録する記録部と、
前記画像形成装置が記録材への画像形成を実行できる状態であることを操作者に報知する報知部と、
を有し、
前記実行部は、前記画像形成装置の本体に装着された前記定着部の前記記憶部から取得する情報が前記クリーニング処理が実行されていないことを示す場合、前記報知部が報知を行う前に前記クリーニング処理を実行させることを特徴とするものである。
【０００８】
第２の発明は、
記録材に画像を形成する画像形成装置であって、
記録材に未定着トナー像を形成する画像形成部と、
前記画像形成装置の本体に着脱可能な定着部であって、前記画像形成部により形成された未定着トナー像を記録材に定着処理するとき記録材の未定着トナー像が形成された面に接する回転体を備える定着部と、
前記定着部でのジャムを検知するジャム検知部と、
前記ジャム検知部が検知したジャムの解消に伴う前記回転体のクリーニング処理を実行させる実行部と、
前記定着部に設けられ、情報を記憶する記憶部と、
前記実行部により前記クリーニング処理が実行されたか否かに対応する情報を前記記憶部に記録する記録部と、
を有し、
前記実行部は、前記画像形成装置の本体に装着された前記定着部の前記記憶部から取得する情報が前記クリーニング処理が実行されていないことを示す場合、前記定着部にて定着処理が開始されるまでに前記クリーニング処理を実行させることを特徴とするものである。
【０００９】
第３の発明は、
記録材に画像を形成する画像形成装置であって、
記録材に未定着トナー像を形成する画像形成部と、
前記画像形成部において未定着トナー像が形成可能な記録材の種類に対応した複数の定着部であって、前記画像形成部により形成された未定着トナー像を記録材に定着処理するとき記録材の未定着トナー像が形成された面に接する回転体と、前記回転体をクリーニングするクリーニング部と、情報を記憶する記憶部と、を備えた複数の定着部の中のいずれか１つが装着される装着部と、
前記装着部に装着された前記定着部でのジャムを検知するジャム検知部と、
前記ジャム検知部が検知したジャムの解消に伴う前記装着部に装着された前記定着部の回転体のクリーニング処理を前記クリーニング部に実行させる実行部と、
前記実行部により前記クリーニング処理が実行されたか否かに対応する情報を前記装着部に装着された前記定着部の記憶部に記録する記録部と、
前記画像形成装置が記録材への画像形成を実行できる状態であることを操作者に報知する報知部と、
を有し、
前記実行部は、前記装着部に装着された前記定着部の前記記憶部から取得する情報が前記クリーニング処理が実行されていないことを示す場合、前記報知部が報知を行う前に前記クリーニング処理を実行させることを特徴とするものである。
【００１０】
第４の発明は、
画像形成装置に着脱可能な定着装置であって、
記録材に形成された未定着トナー像を記録材に定着処理するとき記録材の未定着トナー像が形成された面に接する回転体と、
前記回転体をクリーニングするクリーニング部と、
前記定着装置でのジャムの解消に伴い前記クリーニング部によりクリーニング処理が実行されたか否かに対応する情報を記憶可能な記憶部と、
を有することを特徴とするものである。
【発明の効果】
【００１１】
本発明によれば、定着部を入れ替えて使用する場合においても、画質が悪化することを抑制することができる。
【図面の簡単な説明】
【００１２】
【図１】画像形成装置の一例を示す断面図である。
【図２】制御系の構成の一例を示すブロック図である。
【図３】定着部の一例を示す断面図である。
【図４】電源スイッチがオンされてからスタンバイモードとなるまでのフローチャートである。
【図５】前扉が開いている状態からスタンバイモードとなるまでのフローチャートである。
【図６】立上げシークエンスのフローチャートである。
【図７】定着部でのジャム発生時の処理に関するフローチャートである。
【図８】（ａ）はクリーニング処理未実行の定着器のメモリが保持している情報の一例を示す図であり、（ｂ）はクリーニング処理実行済みの定着器のメモリが保持している情報の一例を示す図である。
【図９】立上げシークエンス２のフローチャートである。
【図１０】定着部でのジャム発生時の処理に関するフローチャート２である。
【図１１】電源スイッチがオンされてからスタンバイモードとなるまでのフローチャート２である。
【図１２】前扉が開いている状態からスタンバイモードとなるまでのフローチャート２である。
【発明を実施するための形態】
【００１３】
以下に、本発明の好ましい実施の形態を、添付の図面に基づいて詳細に説明する。ただし、この実施形態に記載されている構成要素はあくまで例示であり、本発明を実施形態に記載されたものだけに限定するものではない。
【００１４】
〔実施例１〕
（１．画像形成装置の全体的な構成）
図１は、画像形成装置の一例を示す断面図である。
【００１５】
ここでは、画像形成装置１００の全体的な構成について説明する。
【００１６】
画像形成装置１００は、記録材収納部１０３に収納された記録材１０２を画像形成部３０９（図２）へ搬送し、記録材１０２上にトナー像を形成する。尚、画像形成部３０９の詳細については後述する。
【００１７】
その後画像形成装置１００は、画像形成部３０９にてトナー像が形成された記録材１０２を定着部（第一定着器１５０、第二定着器１７０）へ搬送し、熱と圧力を加えることで記録材１０２上のトナー像を記録材１０２に定着する。尚、定着部の詳細については後述する。
【００１８】
片面印刷の場合、画像形成装置１００は、画像形成部３０９と定着部とを経て画像形成が完了した記録材１０２をフラッパ１３２が排出経路１３９へ導くことにより、画像形成装置１００の外側へ排出する。
【００１９】
一方、両面印刷の場合、画像形成装置１００は、片面の印刷を終えた記録材１０２を反転させて再度画像形成部３０９へと搬送する。具体的には、定着後の記録材１０２をフラッパ１３２が搬送経路１３４へと導き、反転部１３６へ搬送する。反転センサ１３５が記録材１０２の後端を検出すると、フラッパ１３３が記録材１０２の搬送方向を搬送経路１３７に切り替える。画像形成装置１００は、反転させた記録材１０２を搬送経路１３７を経て再び画像形成部３０９と定着部とへ搬送する。
【００２０】
両面の画像形成が完了した記録材１０２は、フラッパ１３２により排出経路１３９へと導かれ、画像形成装置１００の外側へ排出される。
【００２１】
ここでフラッパ１３２は、画像形成部３０９と定着部とを経た記録材１０２を搬送経路１３４へと搬送するか、画像形成装置１００の外側へ排出するかを切り替える切り替え部材である。
【００２２】
また記録材１０２は、画像形成装置１００によって画像が形成されるものであって、たとえば紙やＯＨＰ用シート等が挙げられる。
【００２３】
報知部や選択部として機能する操作部１８０は、表示画面と選択キーを備える。操作部１８０は、表示画面に画像形成装置１００の状態を表示したり、選択キーにより操作者からの動作の指示を受け付けたりする。
【００２４】
電源スイッチ１０１は、画像形成装置１００を起動する起動スイッチである。
【００２５】
また開閉部としての前扉１４０は、定着器（第一定着器１５０、第二定着器１７０）を装着部（第一装着部１４１、第二装着部１４２）に装着するための画像形成装置１００の本体の開口部に設けられた扉である。
【００２６】
また、画像形成装置１００は、前扉１４０が閉じられた状態であることを検知するためのセンサとして、開閉センサ（光学センサ）３０５（図２）を備える。開閉センサ３０５とＣＰＵ３０１（図２）は開閉検知部として機能する。前扉１４０には突起（不図示）が設けてあり、前扉１４０が閉じられることにより画像形成装置１００の本体の受け部（不図示）に差し込まれる。ＣＰＵ３０１は、突起が受け部に差し込まれたことに伴い開閉センサ３０５が出す信号を基に、前扉１４０が閉じられたことを検知する。一方、開閉センサ３０５からの信号が出力されていないときは、ＣＰＵ３０１は前扉１４０が開いていることを検知する。尚、前扉１４０が開いたことに伴い開閉センサ３０５が出す信号を基にＣＰＵ３０１は前扉１４０が開いたことを検知し、一方、開閉センサ３０５からの信号が出力されていないときは、ＣＰＵ３０１は前扉１４０が閉じていることを検知する構成としてもよい。
【００２７】
（２．制御系の構成）
図２は、制御系の構成の一例を示すブロック図である。
【００２８】
画像形成装置１００（図１）は、画像形成装置１００の動作を制御するためのＣＰＵ３０１、ＲＡＭ３０２、ＲＯＭ３０３等を備えている。
【００２９】
制御部として機能するＣＰＵ３０１は、ＲＯＭ３０３に記憶された制御プログラムを実行することにより、画像形成装置１００の基本制御を行う。後述するフローチャートの動作は、ＲＯＭ３０３に記憶された制御プログラムに基づいてＣＰＵ３０１により実行される。ＣＰＵ３０１は、制御プログラムの処理を実行するためのワークエリアとしてＲＡＭ３０２を使用する。
【００３０】
ＣＰＵ３０１は、ＲＡＭ３０２、ＲＯＭ３０３の他、制御対象となる各機構と電気的に接続している。
【００３１】
外部Ｉ／Ｆ部３０４はネットワーク（例えばＬＡＮやＷＡＮなど）を介して接続される外部装置と通信するための通信回路である。外部装置としては、例えばＰＣや他の画像形成装置等が挙げられる。
【００３２】
ＣＰＵ３０１は、開閉センサ３０５と接続しており、前扉１４０が閉じられた状態か否かを検知する。
【００３３】
センサ群３０６は、図１に示すセンサ１５３、１５５、１７３、１７５を含む搬送経路上の各センサのことであり、ＣＰＵ３０１が記録材の有無や通過を検知するためのセンサである。
【００３４】
また、ＣＰＵ３０１は、操作部１８０と接続している。ＣＰＵ３０１は、操作部１８０の選択キーを通して操作者から表示画面の表示内容の切り替えや動作の指示を受け付ける。また、ＣＰＵ３０１は、画像形成装置１００の動作状況や選択キーからの入力によって設定された動作モードなどの情報を、操作部１８０の表示画面に表示させる。
【００３５】
また、ＣＰＵ３０１は、タイマー３０７と接続している。タイマー３０７は時間を測定する。後述するように、ジャムの検知やクリーニングの時間の計測に用いられる。
【００３６】
また、ＣＰＵ３０１は本体メモリ３１２に接続している。本体メモリ３１２は書き換え可能な不揮発性のメモリであり、ＲＡＭ３０２と一体であってもよい。
【００３７】
またＣＰＵ３０１は、搬送部３０８に接続しており、記録材１０２の搬送を制御する。搬送部３０８は、記録材収納部１０３から搬送経路へと記録材１０２を供給する供給部や、搬送経路の各フラッパ（図１に示すフラッパ１３１、１３２、１３３）等である。
【００３８】
またＣＰＵ３０１は後述する画像形成部３０９に接続しており、画像形成部３０９の制御を行う。
【００３９】
定着器メモリ３１０は、画像形成装置１００に装着されている第一定着器１５０が有するメモリ１５４と画像形成装置１００に装着されている第二定着器１７０が有するメモリ１７４である。ＣＰＵ３０１は、画像形成装置１００に装着されている第一定着器１５０や第二定着器１７０が有するメモリ１５４、１７４に接続しており、メモリ１５４、１７４への書き込みや読み込みを行う。
【００４０】
また、ＣＰＵ３０１は、画像形成装置１００に装着されている第一定着器１５０が有する機構群Ｘに接続しており、第一定着器１５０の温度調整制御（以下、温調とも呼ぶ。）やクリーニングの制御を行う。機構群Ｘは、温度センサ３２０、ヒーター３２１、接離機構３２２、モータ３２３、ソレノイド３２４、ウェブ着脱機構３２５を示す。
【００４１】
ここで、温度センサ３２０は、第一定着器１５０が有する複数の温度センサであり、サーミスタ１６２（図３）と、加圧ベルト１５２のサーミスタ（不図示）とを含む。
【００４２】
ここで、ヒーター３２１は、第一定着器１５０が有する複数のヒーターであり、ハロゲンヒーター１６１（図３）と、加熱ローラ１６３の内部のハロゲンヒーター（不図示）とを含む。
【００４３】
また、ＣＰＵ３０１は、画像形成装置１００に装着されている第二定着器１７０の機構群Ｘに接続しており、第二定着器１７０の温度調整制御（以下、温調とも呼ぶ。）やクリーニングの制御を行う。第二定着器１７０の機構群Ｘについては、第一定着器１５０の機構群Ｘと同様であるから、同じ符号を付すことにより説明を省略する。（上述の機構群Ｘの説明においては、第一定着器１５０を第二定着器１７０に、加圧ベルト１５２を加圧ローラ１７２に、加熱ローラ１６３を加圧ローラ１７２に、それぞれ置き換えて読めばよい。）
【００４４】
本実施例では、各機構をＣＰＵ３０１が制御する。しかしながら、たとえばそれぞれの機構の動作を制御する複数のＣＰＵ回路部と、複数のＣＰＵ回路部に接続して全体を制御するメインのＣＰＵ回路部と、で構成してもよい。
【００４５】
（３．画像形成部）
画像形成装置１００は、画像形成部３０９（図２）として、ステーション１２０、１２１、１２２、１２３と、中間転写体としての中間転写ベルト１１５と、転写部としての転写ローラ１１６とを備える（図１）。
【００４６】
ステーション１２０、１２１、１２２、１２３は、それぞれイエロー、マゼンタ、シアン、ブラックのトナー像を形成して中間転写ベルト１１５に形成する。
【００４７】
ステーション１２０の構成を説明する。像担持体としての感光ドラム１１０は、図１において反時計回りに回転する。帯電部としての一次帯電器１１１は感光ドラム１１０を一様の表面電位に帯電する。露光部としてのレーザユニット１１２は、レーザ光を出力する光源１１３を有しており、感光ドラム１１０上に原稿画像に応じた静電潜像を形成する。現像部としての現像器１１４は、トナーを用いて感光ドラム１１０上に形成された静電潜像を現像してトナー像を形成する。ステーション１２１、１２２、１２３の構成はステーション１２０と同様であるから、説明を省略する。
【００４８】
ステーション１２０、１２１、１２２、１２３が形成したトナー像は、中間転写ベルト１１５上に転写される。転写ローラ１１６は、中間転写ベルト１１５上のトナー像を記録材収納部１０３から搬送される記録材１０２に転写する。
【００４９】
（４．定着部）
（４．１．タンデム定着）
定着部としての第一定着器１５０および第二定着器１７０は、記録材１０２に熱と圧力を加えることで記録材１０２に転写されたトナー像を記録材１０２に定着する（図１）。
【００５０】
第二定着器１７０は、第一定着器１５０よりも記録材１０２の搬送方向に対して下流側に配置されている。第二定着器１７０は、第一定着器１５０が定着した記録材１０２上のトナー像に光沢を付与したり、定着処理に多くの熱量を必要とする坪量の大きな記録材（たとえば厚紙など）に対して第一定着器１５０だけでは不足する熱量を補ったりする目的で使用される。
【００５１】
一方、第一定着器１５０だけで定着が可能な場合には第二定着器１７０を用いなくてよいので、エネルギー消費量低減の目的で記録材１０２は第二定着器１７０を経由せずに搬送経路１３０にて搬送される。例えば、記録材１０２が普通紙や薄紙の場合であって、光沢を多く付加する設定がされていない場合などである。第二定着器１７０に記録材１０２を搬送する（タンデム定着ルート）か、第二定着器１７０を迂回して記録材１０２を搬送する（バイパスルート）かは、ＣＰＵ３０１がフラッパ１３１を切り替えることで制御する。
【００５２】
（４．２．定着器の構成）
第一定着器１５０および第二定着器１７０は、それぞれ画像形成装置１００に設けられた第一装着部１４１および第二装着部１４２（装着部）に着脱可能に設けられている。第一定着器１５０および第二定着器１７０は、それぞれ以下の構成を有する定着器へ、交換することが可能である。
【００５３】
第一定着器１５０には、記憶部としてのメモリ１５４が設置されている。第二定着器１７０には、記憶部としてのメモリ１７４が設置されている。詳しくは後述する。
【００５４】
また、ジャム検知部として、第一定着器１５０にはセンサ１５３、１５５が、第二定着器１７０にはセンサ１７３、１７５が設けられている。詳しくは後述する。
【００５５】
図３は定着部の一例を示す断面図である。図３を基に、第一定着器１５０の詳細な構成について説明する。
【００５６】
第一定着器１５０は定着ローラ１５１（定着部材）と加圧ベルト１５２（加圧部材）を有しており、これらが記録材１０２上のトナー像を定着処理するためのニップ部を形成する。
【００５７】
定着ローラ１５１は、中空ローラであり、その内部に加熱源としてハロゲンヒーター１６１を内蔵している。温度検知部としてのサーミスタ１６２は定着ローラ１５１の温度を測るセンサである。ＣＰＵ３０１はサーミスタ１６２により検出された温度の情報を基にハロゲンヒーター１６１のＯＮ／ＯＦＦを制御する。これは、定着ローラ１５１の温度を所定の温度に維持、調整するためである。尚、所定の温度には誤差を含む。
【００５８】
加圧ベルト１５２は、３つのローラに支持される無端状のベルトである。加圧ベルト１５２の内周面には、加圧ベルト１５２を定着ローラ１５１に向けて押圧する加圧パッド１６４が設けられている。３つのローラのうちの１つである加熱ローラ１６３は中空ローラであり、その内部に加熱源としてのハロゲンヒーター（不図示）を内蔵しており、加圧ベルトを加熱する。加圧ベルト１５２も定着ローラ１５１と同様に、温度を測るセンサとしてのサーミスタ（不図示）による検出温度情報を基に加熱ローラ１６３のハロゲンヒーター（不図示）をＣＰＵ３０１が制御する。その結果、加圧ベルト１５２の温度が所定の温度に維持、調整される。
【００５９】
定着ローラ１５１は駆動源としてのモータ３２３（図２）により回転駆動され、図３の矢印Ａの方向に記録材１０２を搬送する。加圧ベルト１５２は定着ローラ１５１に従動回転する構成となっている。
【００６０】
また、第一定着器１５０は、定着ローラ１５１と加圧ベルト１５２とが当接してニップ部を形成する当接状態と離間する状態とを取り得るように加圧ベルト１５２を移動させる接離機構３２２（図２）を有する。尚、本実施例では、接離機構３２２は加圧ベルト１５２を移動させるが、定着ローラ１５１を移動させる構成としてもよいし、定着ローラ１５１と加圧ベルト１５２との両方を移動させる構成としてもよい。
【００６１】
一方、第二定着器１７０は、加圧部材として加圧ベルトではなく加圧ローラ１７２を有し、定着ローラ１７１（定着部材）と加圧ローラ１７２（加圧部材）が記録材１０２上のトナー像を定着処理するためのニップ部を形成する（図１）。加圧ローラ１７２は、中空ローラであり、内部に加熱源としてのハロゲンヒーター（不図示）を内蔵している。また、加圧ローラ１７２は温度センサとしてサーミスタ（不図示）を備える。ＣＰＵ３０１がサーミスタ（不図示）とハロゲンヒーター（不図示）とを制御することにより、加圧ローラ１７２の温度が所定の温度に維持、調整される。
【００６２】
第二定着器１７０のその他の構成は第一定着器１５０と同様であるから、説明は省略する。
【００６３】
また、以下の説明においても、第一定着器１５０を用いて説明するが、特に断りがない限り第二定着器１７０においても同様である。（この場合、第一定着器１５０に係る構成を第二定着器１７０に係る構成に置き換えて読めばよい。）
尚、本実施例では、第一定着器１５０と第二定着器１７０とで加圧側の構成が異なるが、同じ構成としてもよい。すなわち、第一定着器１５０と第二定着器１７０の両方の加圧側の構成が加圧ベルトであってもよいし、第一定着器１５０と第二定着器１７０の両方の加圧側の構成が加圧ローラであってもよい。また、第一定着器１５０の加圧側の構成を加圧ローラとし、第二定着器１７０の加圧側の構成を加圧ベルトとしてもよい。
【００６４】
（４．３．ウェブクリーナーの構成）
次に定着部材をクリーニングするウェブクリーナーについて第一定着器１５０を例に説明する。尚、第二定着器１７０においても同様であるので、説明を省略する。
【００６５】
このウェブクリーナーは、巻き取りローラ１５７、押圧ローラ１５８、供給ローラ１５９、ウェブ１６０、回収ローラ１５６を有しており、定着ローラ１５１を清掃するクリーニング部として機能する。
【００６６】
回収回転体としての回収ローラ１５６（例えば、ＳＵＳ製のローラ）は、定着ローラ１５１に従動回転しており、定着ローラ１５１の表面に付着したトナーを回収する。
【００６７】
ウェブ１６０は、不織布からなるクリーニングウェブである。未使用のウェブ１６０をスタックする供給ローラ１５９は、巻き取りローラ１５７に従動してウェブ１６０を供給する。押圧ローラ１５８は、回転自在に設けられ、ウェブ１６０を回収ローラ１５６に所定のニップ幅で押しつける。また、ウェブ着脱機構３２５（図２）は、押圧ローラ１５８を移動させることにより、ウェブ１６０が回収ローラ１５６に当接する当接状態（着状態）と、離間する離間状態（脱状態）とを取り得るようにする。
【００６８】
巻き取りローラ１５７は、駆動源としてのソレノイド３２４（図２）を有して、供給ローラ１５９から供給されるウェブ１６０を断続的に巻き取り、回収ローラ１５６にウェブを摺擦させる。制御はＣＰＵ３０１が行う。例えば、１回あたり長さ０．１ｍｍのウェブ１６０の巻き取りを１秒間に２回行うなどである。これにより、回収ローラ１５６が定着ローラ１５１から回収したトナーをウェブ１６０が取り除く。定着ローラ１５１に従動回転する回収ローラを介することで、ウェブ１６０が定着ローラ１５１の表面を直接摺擦して傷付けることがない。結果、定着ローラ１５１の表面粗さによる被定着物の光沢性の低下を抑制することができる。
【００６９】
尚、本実施例では回収回転体を用いたが、回収回転体を用いず、ウェブ１６０が定着ローラ１５１表面を直接摺擦しても、定着ローラ１５１をクリーニングできる。
【００７０】
（５．ジャムの発生時の対応）
次に、画像形成装置１００内でジャムが発生した際の対応について説明する。
【００７１】
尚、定着部でのジャムとは、画像形成装置１００内でのジャムの発生に伴って、第一定着器１５０及び／又は第二定着器１７０において記録材１０２が滞留している状態を指す。
【００７２】
例えば、第一定着器１５０においてジャムが発生した場合の他、画像形成装置１００内の第一定着器１５０以外の場所で発生したジャムに伴って記録材１０２の搬送が滞り、第一定着器１５０内に記録材１０２が滞留した場合である。また例えば、第一定着器１５０で定着処理中に、操作者による画像形成装置１００の本体に備えられた扉（例えば前扉１４０）の開放により、画像形成装置１００の動作が停止し、第一定着器１５０内に記録材１０２が滞留した場合である。尚、第二定着器１７０においても同様である。
【００７３】
以下、第一定着器１５０を例に詳細に説明する。
【００７４】
尚、第二定着器１７０においても同様であるので、説明を省略する。この場合、以下の説明箇所において、第一定着器１５０に係る構成を第二定着器１７０に係る構成に置き換えて読めばよい。
【００７５】
ＣＰＵ３０１は、画像形成装置１００内のセンサ群３０６（センサ１５３、１５５を含む。）からの信号により、画像形成装置１００内でのジャムの発生を検知すると、画像形成装置１００の画像形成を停止させる。このとき、第一定着器１５０に記録材１０２が滞留していると、定着部でのジャムとなる。すなわち、ジャムの発生箇所は第一定着器１５０以外であっても、定着部でのジャムとなる。その後、ＣＰＵ３０１は、操作部１８０に記録材１０２の滞留箇所を表示することにより、操作者に滞留している記録材１０２を除去（ジャム処理）するように促す。尚、以下では、第一定着器１５０における定着部でのジャムを第一定着器１５０でのジャム（又は、定着器でのジャム）と称することがある。
【００７６】
ここで、ジャム検知部としてのセンサ１５３、１５５は、第一定着器１５０での記録材１０２の有無を検知するためのセンサである。例えば光学センサが用いられる。ＣＰＵ３０１は、センサ１５３や１５５の信号を受け取り、記録材１０２が第一定着器１５０に滞留していること（定着部でのジャム）を検知する。例えば、記録材１０２の搬送方向上流側のセンサ１５５が記録材１０２の通過を検出してから所定の時間経っても下流側のセンサ１５３が記録材１０２の通過を検出しない場合、ＣＰＵ３０１はセンサ１５５、１５３間に記録材１０２が滞留していると判定する。ここで、所定の時間はタイマー３０７が計測する。
【００７７】
第一定着器１５０に記録材１０２が滞留していた場合、操作者は前扉１４０を開けて、第一定着器１５０を画像形成装置１００から外側へ引き出し、滞留している記録材１０２を除去する。そして、操作者は滞留している記録材１０２を除去したら、第一定着器１５０を引き出し時とは逆方向へ移動させて画像形成装置１００の内部にセットし、前扉１４０を閉じる。
【００７８】
ＣＰＵ３０１は、開閉センサ３０５からの信号により、前扉１４０が閉じられたことを検知する。ＣＰＵ３０１は前扉１４０が閉じられたことを検知したことに伴い、第一定着器１５０のメモリ１５４にアクセスする。これより第一定着器１５０が装着されているかを確認する。ＣＰＵ３０１はメモリ１５４にアクセスできなれば、第一定着器１５０が装着されていないと判定する。尚、第一定着器１５０が装着されているか否かの判定（確認）方法はこれに限らず、例えば、画像形成装置１００と第一定着器１５０との間の導通状態あるいは非導通状態を検知することにより判定（確認）する構成としてもよい。
【００７９】
次に、ＣＰＵ３０１は、センサ１５３、１５５からの信号によって第一定着器１５０に滞留している記録材１０２の有無を確認する。このとき、ＣＰＵ３０１は、第一定着器１５０に記録材１０２が滞留していなければジャム処理が完了したと判定する。
【００８０】
このように、第一定着器１５０でのジャム（定着部でのジャム）が発生すると、すなわち第一定着器１５０に記録材１０２が滞留した状態となると、滞留した記録材１０２の未定着トナーが付着し、定着ローラ１５１が汚れてしまう恐れがある。具体的には、記録材１０２が定着ローラ１５１に巻きつくようにして滞留した場合や、操作者が滞留した記録材１０２を取り除くときに記録材１０２が定着ローラ１５１に擦れてしまう場合等にその恐れがある。
【００８１】
そのため、ＣＰＵ３０１は、第一定着器１５０のジャム処理の完了を確認した後、後述の第一定着器１５０のクリーニング処理を実行させる。
【００８２】
（６．ジャムの解消に伴うクリーニング処理）
定着部でのジャムが解消されたことに伴って実行部としてのＣＰＵ３０１が実行させる定着部のクリーニング処理について、第一定着器１５０を例に説明する。
【００８３】
尚、第二定着器１７０においても同様であるので、説明を省略する。この場合、以下の説明箇所において、第一定着器１５０に係る構成を第二定着器１７０に係る構成に置き換えて読めばよい。
【００８４】
まず、クリーニング処理を開始する前に、定着ローラ１５１の回転を停止させたまま定着ローラ１５１の温度を約１６５℃になるまで加熱する。つまりＣＰＵ３０１は、サーミスタ１６２による検出温度情報に基づいて、ハロゲンヒーター１６１への通電を制御する。このとき、加圧ベルト１５２は回転を停止した状態で定着ローラ１５１から離間している。つまり、ＣＰＵ３０１は、加圧ベルト１５２が定着ローラ１５１から離間した状態を維持するように、接離機構３２２の動作を制御する。尚、このときの定着ローラ１５１の目標温度（本例では約１６５℃）はトナーが固まらない程度の温度であり、予め設定されている（ＲＯＭ３０３に格納されている）。尚、この温度は装置や使用するトナーの構成に応じて適宜設定すればよい。
【００８５】
定着ローラ１５１が約１６５℃まで加熱されたら、クリーニング処理を開始する。ＣＰＵ３０１は、サーミスタ１６２による検出温度が約１６５℃になったことを受けて、モータ３２３を動作させる。すると、定着ローラ１５１は回転を開始し、回収ローラ１５６を従動回転させる。これにより回収ローラ１５６が定着ローラ１５１上のトナーを回収する。さらに、ＣＰＵ３０１は、ソレノイド３２４を動作させることにより、上述した巻き取りローラ１５７による断続的な巻き取りを１００秒間実行させる。例えば、１回あたり長さ０．１ｍｍのウェブ１６０の巻き取りを１秒間に２回のペースで行わせる。このとき、ＣＰＵ３０１は、ウェブ１６０が回収ローラ１５６に当接した状態を維持するようにウェブ着脱機構３２５を制御する。これによりウェブ１６０は、回収ローラ１５６が定着ローラ１５１から回収したトナーを取り除く。ここで、時間は画像形成装置１００に内蔵されたタイマー３０７が計測する。さらにこのとき、ＣＰＵ３０１は、定着ローラ１５１の温度が約１６５℃を維持するように、サーミスタ１６２による検出温度情報に基づいて、ハロゲンヒーター１６１への通電を制御する。また、定着ローラ１５１から加圧ベルト１５２へのトナーの転移を防ぐため、ＣＰＵ３０１は、定着ローラ１５１と加圧ベルト１５２は離間した状態を維持するように、接離機構３２２の動作を制御する。
【００８６】
ここで、ウェブ１６０の巻き取り時間（本実施例では１００秒）は画像形成装置１００に内蔵されたタイマー３０７が計測する。
【００８７】
定着ローラ１５１上のトナーを除去するのに適したウェブ１６０の巻き取り時間（本実施例では１００秒）は予め設定されている（ＲＯＭ３０３に格納されている）。尚、この時間は、上述の例に限らず、装置の構成に応じて適宜設定すればよい。
【００８８】
（７．ウォームアップ処理）
定着部のクリーニング処理が終了したら、ＣＰＵ３０１は定着部が定着処理を開始するためのウォームアップ処理を実行させる。このウォームアップ処理は、上述したクリーニング処理が実行されない場合でも、画像形成装置１００の電源スイッチ１０１がＯＮになったときなどに実行される。
【００８９】
以下、第一定着器１５０を例に説明する。
【００９０】
尚、第二定着器１７０においても同様であるので、説明を省略する。この場合、以下の説明箇所において、第一定着器１５０に係る構成を第二定着器１７０に係る構成に置き換えて読めばよい。
【００９１】
まず、ＣＰＵ３０１は、上述したクリーニング処理の終了に伴い、ハロゲンヒーター１６１を制御して定着ローラ１５１の温度を約１６５℃になるまで加熱する。このとき、定着ローラ１５１の回転は停止させた状態である。つまり、ＣＰＵ３０１はモータ３２３を動作させない。また、ＣＰＵ３０１は加熱ローラ１６３の内部のヒーターを動作させない。また、ＣＰＵ３０１は、加圧ベルト１５２が定着ローラ１５１と当接した状態を維持するように、接離機構３２２の動作を制御する。これは定着ローラ１５１の熱を利用して加圧パッド１６４を加熱することが目的である。
【００９２】
ＣＰＵ３０１は、定着ローラ１５１が約１６５℃まで加熱されたら、定着ローラ１５１の回転をさせながら、加熱ローラ１６３の内部のヒーターを制御して加圧ベルト１５２を約１００℃まで昇温させる。つまり、ＣＰＵ３０１は、サーミスタ１６２による検出温度が約１６５℃になったことを受けて、モータ３２３と加熱ローラ１６３の内部のヒーターを動作させる。このとき、ＣＰＵ３０１は、定着ローラ１５１と加圧ベルト１５２とが当接した状態を維持するように接離機構３２２の動作を制御しており、加圧ベルト１５２は従動回転する。このとき、たとえば印刷中などに定着ローラ１５１に付着したわずかなトナーを除去するために、ウェブ１６０を回収ローラ１５６に当接させた状態とし、巻き取りローラ１５７による断続的な巻き取りを実行させてもよい。
【００９３】
ＣＰＵ３０１は、加圧ベルト１５２が約１００℃まで加熱されたら、接離機構３２２を制御して定着ローラ１５１と加圧ベルト１５２を離間させる。ＣＰＵ３０１は、サーミスタ１６２による検出温度情報に基づいて、ハロゲンヒーター１６１への通電を制御することにより、定着ローラ１５１を約１７０℃に加熱する。このとき、ＣＰＵ３０１は、加圧ベルト１５２が約１００℃を維持するように、加圧ベルト１５２の温度を検知するサーミスタによる検出温度情報に基づいて、ハロゲンヒーター１６１への通電を制御する。尚、操作部１８０などへの操作者からの入力等によってウォームアップ後に印刷する記録材１０２の種類が指定済みの場合（印刷ジョブが予約されている場合）には、定着ローラ１５１の目標温度を印刷する記録材１０２の定着処理に必要な温度としてもよい。
【００９４】
尚、ウォームアップ処理における定着ローラ１５１や加圧ベルト１５２の目標温度（本例では約１６５℃、約１００℃、約１７０℃）は予め設定されている（ＲＯＭ３０３に格納されている）。この温度は装置の構成に応じて適宜設定すればよい。
【００９５】
第一定着器１５０のウォームアップ処理が完了すると、画像形成装置１００は画像形成が開始可能な状態となる。このとき画像形成装置１００は画像形成を開始することが可能な状態とするため、画像形成部３０９などの他の部分の立上げ処理も並行して行うが、第一定着器１５０のウォームアップ処理が完了するまでには完了している。この第一定着器１５０のウォームアップ処理は長いと７分程度の時間を要する。尚、第二定着器１７０におけるウォームアップ処理も同様であり、第一定着器１５０とおおよそ同じ時間でウォームアップ処理が完了する。
【００９６】
（８．ジョブの再開）
以上のように、第一定着器１５０のウォームアップ処理が完了し画像形成装置１００が画像形成を開始することが可能な状態となったことに伴い、ＣＰＵ３０１はジャムの発生により中断していた印刷を再開させる。ＣＰＵ３０１は操作部（報知部）１８０に「印刷中です」などの表示を行う。
【００９７】
尚、もし、第一定着器１５０のウォームアップ処理が完了しても画像形成部３０９などの第一定着器１５０以外の部分の立上げ処理が完了していない場合には、ＣＰＵ３０１は第一定着器１５０以外の部分の準備が完了するのを待ってから印刷を再開させる。
【００９８】
尚、第二定着器１７０においても同様である。
【００９９】
（９．スタンバイモード）
スタンバイモードとは、画像形成装置１００が画像形成を開始することが可能な状態であって、操作者からの印刷命令（印刷ジョブ）を待っている状態の期間を指す。上述したウォームアップ処理後に再開するジョブがない場合や、印刷の終了後などにスタンバイモードへと移行する。
【０１００】
画像形成装置１００が画像形成を開始することが可能な状態となったことに伴い、ＣＰＵ３０１は、操作部（報知部）１８０に「印刷できます」などの表示を行う。
【０１０１】
本実施例では、スタンバイモードとなっているとき、印刷ジョブを受け付けてからすぐに印刷が開始できるように、第一定着器１５０と第二定着器１７０での温調（例えば定着ローラ１５１や加圧ベルト１５２の温調）を継続させている。
【０１０２】
尚、ウォームアップ処理中に印刷予約が入った場合には、スタンバイモードに移行させることなく予約された印刷ジョブを直ちに開始させる。すなわち、この場合、第一定着器１５０と第二定着器１７０のウォームアップ処理が完了して画像形成装置１００が画像形成を開始可能な状態となったことに伴い、スタンバイモードに移行させることなく予約された印刷ジョブを直ちに開始させる。
【０１０３】
尚、もし、第一定着器１５０と第二定着器１７０のウォームアップ処理が完了しても画像形成部３０９などの他の部分の立上げ処理が完了していない場合には、ＣＰＵ３０１は他の部分の準備が完了するのを待ってからスタンバイモードへと移行する。
【０１０４】
（１０．定着器の載せ替えシステム）
定着器の載せ替えシステムについて説明する。
【０１０５】
画像形成装置１００は、複数の種類やサイズの記録材１０２に印刷が可能である。本実施例の画像形成装置１００では、より高品質な成果物を得るために、画像形成可能な記録材１０２のうち定着する記録材１０２の種類や、操作者の好みに応じて使用目的の異なる定着器を入れ替えて使用することができる。
【０１０６】
例えば、記録材１０２として封筒を使用するときには封筒専用の定着器を用いる。封筒は袋状に綴じられていることから、定着処理時に与える圧により皺が発生しやすい。そのため、定着ローラ１５１と加圧ベルト１５２間の圧力（以下、ニップ圧とも呼ぶ）を封筒に合わせて調整された封筒専用の定着器を用いることが望ましい。
【０１０７】
他の例として、幅サイズ専用の定着器が挙げられる。同じ幅の記録材１０２が連続してニップ部を通過すると、記録材１０２の幅方向の端部（コバ、と称する。）により定着ローラ１５１の表面にコバによる傷（コバ傷）が生じてしまう。このように定着ローラ１５１に無視できないレベルのコバ傷が形成されてしまうと、これよりも幅広な記録材１０２に定着する際、コバ傷に起因して画像のグロスムラが生じてしまう恐れがある。これを防ぐため、同じ構成の定着器を記録材１０２の幅サイズごとに載せ替えて使い分ける場合がある。（ここで、幅とは記録材１０２の搬送方向に垂直な方向（定着ローラ１５１の長手方向）を指す。）
尚、第一定着器１５０を例に説明したが、第二定着器１７０においても同様である。
【０１０８】
このように、本実施例の画像形成装置１００ならば、操作者は、自身が印刷したい記録材１０２の種類や好みに応じた定着器に入れ替えて使用することが可能である。
【０１０９】
定着器を入れ替える場合、操作者は前扉１４０を開けて、既に画像形成装置１００に装着されている定着器を取り出す。そして操作者は取り出した定着器とは別の定着器を画像形成装置１００に装着して、前扉１４０を閉じる。本実施例では、以上のように載せ替えることができる定着器は、第一定着器１５０、第二定着器１７０の双方となっている。
【０１１０】
（１１．定着器のメモリ）
本実施例では、定着器の載せ替えシステムを採用していることから、第一定着器１５０に記憶部としてのメモリ１５４を設けており、第二定着器１７０に記憶部としてのメモリ１７４を設けている。メモリ１５４、１７４は、ＥＥＰＲＯＭ、フラッシュメモリなどに代表される書き換え可能な不揮発性のメモリ（記憶部）である。さらに、画像形成装置１００に装着された状態にある第一定着器１５０と第二定着器１７０だけでなく、載せ替え用の定着器として画像形成装置１００外に用意されている定着器にも同様にメモリが設けられている。
【０１１１】
ここで、第一定着器１５０と第二定着器１７０を含む定着器群にメモリを設けた理由は、以下の問題を解決するためである。つまり、定着部でのジャムの解消に伴って行われるべきクリーニング処理が行われないまま、定着器が一旦取り出されてしまい、さらにこの取り出された定着器が画像形成装置１００に再度装着された場合に生じる問題を解決するためである。以下では第一定着器１５０を例に説明するが、第二定着器１７０においても同様であるので、説明を省略する。
【０１１２】
具体的には、以下のようなシチュエーションが想定される。載せ替え対象が第一定着器１５０のケースである。
【０１１３】
たとえば、第一定着器１５０として封筒専用ではない定着器Ａが装着されている場合において、印刷完了までに１時間以上かかるような印刷ジョブ（例えば、普通紙への画像形成）を開始する。ところが、この印刷ジョブの開始１５分後などの初期段階で定着器Ａでのジャム（定着部でのジャム）が発生してしまったとする。ジャムの発生に気付いた操作者は操作部１８０の表示に従ってジャム処理を行う。しかしながら、急遽封筒の印刷が必要になった場合、定着器Ａでの印刷ジョブを中断し、封筒の印刷に取り掛かることが想定される。この場合操作者は、封筒専用の定着器Ｂへ入れ替えるために、ジャム処理のタイミングで、クリーニング処理が実行されないまま定着器Ａを取り出す。
【０１１４】
従来、ＣＰＵは定着部でのジャムが発生したことを画像形成装置の本体に設けられたメモリに記憶しておくことで、ジャム処理後にクリーニング処理を実行させている。したがって、ジャム処理のタイミングで定着器Ａから定着器Ｂに入れ替えられてしまうと、ＣＰＵは、載せ替え後の定着器Ｂに対してだけクリーニング処理を実行させることになる。つまり、ＣＰＵは定着部でのジャムの解消に伴って行われるべきクリーニング処理を終えたと判定してしまうことになる。
【０１１５】
後日、封筒以外の記録材（例えば、普通紙）の印刷をしようとする場合、操作者は再度定着器Ａを装着することになる。クリーニング処理が実行されないまま取り出されてしまった定着器Ａの定着ローラはトナーで汚れたままの状態である。この状態で印刷が行われてしまうと、画像品質が大きく低下しまうことになる。
【０１１６】
そのため、本実施例ではメモリ１５４を第一定着器１５０に設けているのである。これにより、定着部でのジャムの解消に伴って行われるクリーニング処理が実行された否かの情報を記憶可能となる。そして、定着部でのジャムの解消に伴って行われるクリーニング処理が実行された否かの情報をメモリ１５４に保持させるようにしている。
【０１１７】
本実施例では、図８に示すように、“履歴あり”又は“履歴なし”というジャム履歴の情報を保持させる。具体的には、第一定着器１５０でのジャムが発生したことに伴い、ＣＰＵ３０１は、メモリ１５４にジャム履歴を記録する（“履歴あり”）。定着部でのジャムの解消に伴って行われるクリーニング処理が実行されたら、ＣＰＵ３０１は、メモリ１５４のジャム履歴をクリアする（“履歴なし”）。“履歴あり”は、クリーニング処理が未実行であることを示し、“履歴なし”は、クリーニング処理が実行済みであることを示している。
【０１１８】
そして、操作者により第一定着器１５０が再装着されたことに伴い、ＣＰＵ３０１はメモリ１５４からクリーニング処理が実行済みであるか否かに対応する情報を取得する。メモリ１５４から取得した情報が、クリーニング処理が未実行であることを示している場合には、ＣＰＵ３０１が定着部でのジャムの解消に伴って行われるべきクリーニング処理を実行させるようにする。
【０１１９】
尚、メモリ１５４が保持する情報として、ジャムの履歴あり（データ有り）の情報がクリアされている状態の場合、ＣＰＵ３０１は、履歴なし（データ無し（データがクリア））の情報を記憶しているものと判定する。
【０１２０】
尚、メモリ１５４への情報の書き込み（記録）方法はこれに限らず、クリーニング処理が未実行の場合にデータ有り、クリーニング処理が実行済みの場合にデータ無し、となるようにメモリ１５４に書き込むようにしてもよい。また、“クリーニング処理未実行（データ有り）”と“クリーニング処理実行済み（データ有り）”に対応する情報を記憶させるようにしてもよい。
【０１２１】
また、メモリ１５４は、ジャム履歴以外の情報を記憶していてもよい。例えば、封筒用やＡ４サイズ用などの第一定着器１５０の用途、種類を示す情報を記憶していてもよい。
【０１２２】
（１２．制御フロー）
以上を、図４〜図７のフローチャートを用いて説明する。尚、これらのフローチャートは、実行部（記録部）として機能するＣＰＵ３０１が、ＲＯＭ３０３に記憶された制御プログラムに基づいて画像形成装置１００の各種機構の動作を制御することにより行われる。また、第一定着器１５０を例に説明するが、第二定着器１７０においても同様である。
【０１２３】
（１２．１．電源オン時及び前扉クローズ時のシークエンス）
図４は電源スイッチがオンされてからスタンバイモードとなるまでのフローチャートである。
【０１２４】
操作者により電源スイッチ１０１がオンされることに伴い、ＣＰＵ３０１は起動する。ＣＰＵ３０１は第一定着器１５０が画像形成装置１００に装着されているかを判別する（Ｓ１０１）。第一定着器１５０が装着されていると、ＣＰＵ３０１はメモリ１５４にアクセスできるようになる。第一定着器１５０が装着されていない場合はＳ１０１へ戻る。第一定着器１５０が画像形成装置１００に装着されていたら、Ｓ１０２へ移行する。
【０１２５】
ＣＰＵ３０１は第一定着器１５０に図６の立上げシークエンスを行わせる（Ｓ１０２）。詳細は後述する。
【０１２６】
第一定着器１５０の立上げが完了したら、ＣＰＵ３０１は操作部１８０に「印刷できます」などの表示を行い、画像形成装置１００が画像形成を開始できることを操作者に知らせる（Ｓ１０３）。そしてスタンバイモードへ移行する。
【０１２７】
図５は前扉が開いている状態からスタンバイモードとなるまでのフローチャートである。
【０１２８】
前扉１４０の開閉状態は、ＣＰＵ３０１が前扉１４０の開閉センサ３０５からの信号を基に検知する。前扉１４０が開いている場合、ＣＰＵ３０１は前扉１４０が閉状態となるのを待つ（Ｓ２０１）。また、前扉１４０が開いている場合、ＣＰＵ３０１は操作部１８０に前扉１４０を閉めるように促す表示をしてもよい。ＣＰＵ３０１は前扉１４０が閉じられたことを検知したら（Ｓ２０１）、Ｓ２０２へ移行する。Ｓ２０２〜Ｓ２０４は、図４のＳ１０１〜Ｓ１０３と同じなので説明は省略する。Ｓ２０４の後、スタンバイモードへ移行する。
【０１２９】
（１２．２．立上げシークエンス）
図６は、立上げシークエンスのフローチャートである。図６のフローチャートは、Ｓ１０２、Ｓ２０３、後述するＳ４１０の立上げシークエンスの詳細を示している。
【０１３０】
まず、ＣＰＵ３０１は画像形成装置１００に装着された第一定着器１５０のメモリ１５４が記憶しているデータを読み出す（Ｓ３０１）。
【０１３１】
メモリ１５４にジャム履歴が保持されていた場合、Ｓ３０３に移行する（Ｓ３０２）。
【０１３２】
ＣＰＵ３０１はクリーニング部等を制御して前述したクリーニング処理を実行させる（Ｓ３０３）。
【０１３３】
クリーニング処理が完了したら、ＣＰＵ３０１はメモリ１５４に保持されていたジャム履歴をクリアする（Ｓ３０４）。
【０１３４】
Ｓ３０２において、メモリ１５４にジャム履歴が保持されていない場合にはクリーニング処理を実行させずに、Ｓ３０５に移行する。メモリ１５４にジャム履歴が保持されていない場合には、既にクリーニング処理が実行済みであるためである。クリーニング処理が不要な場合にクリーニング処理を実行させないことにより、電源スイッチ１０１をオンにしてから画像形成装置１００が画像形成を開始可能となるまでの時間として、上述したクリーニング処理の時間（１００秒分）を短縮することができる。
【０１３５】
ＣＰＵ３０１は第一定着器１５０を制御して前述したウォームアップ処理を実行させる（Ｓ３０５）。
【０１３６】
尚、Ｓ３０４におけるメモリ１５４に保持されていたジャム履歴のクリアは、上述したタイミングに限らない。例えば、ウォームアップ処理（Ｓ３０５）が完了したことに伴ってメモリ１５４に保持されていたジャム履歴をクリアするようにしてもよい。
【０１３７】
また、Ｓ３０４におけるメモリ１５４に保持されていたジャム履歴のクリアは、クリーニング処理が実行済みの状態で、ＣＰＵ３０１が開閉センサ３０５からの信号を基に前扉１４０の開放を検知することに伴ってクリアするようにしてもよい。さらに、Ｓ３０４におけるメモリ１５４に保持されていたジャム履歴のクリアは、クリーニング処理が実行済みの状態で、電源スイッチ１０１がオフされることに伴ってクリアするようにしてもよい。第一定着器１５０の交換には、前扉１４０の開放を伴うためである。
【０１３８】
（１２．３．ジャム発生時のシークエンス）
図７は、定着部でのジャム発生時の処理に関するフローチャートである。具体的には、画像形成装置１００の印刷ジョブ実行時のフローチャートを示している。
【０１３９】
画像形成装置１００が印刷できる状態であるスタンバイモードにおいて、操作部１８０や、外部Ｉ／Ｆ部３０４を介して外部のＰＣ等から印刷ジョブを受け付ける。すると、ＣＰＵ３０１はステーション１２０〜１２３や第一定着器１５０や第二定着器１７０などの画像形成装置１００の各機構を制御することにより、画像形成装置１００による画像形成動作を開始、つまり、印刷ジョブを開始させる（Ｓ４０１）。このとき、画像形成装置１００は、操作部１８０や外部のＰＣの表示画面に、印刷する記録材１０２の種類を選択するための選択画面を表示し、操作者から印刷する記録材１０２の種類の指示も受け付ける。
【０１４０】
ＣＰＵ３０１は印刷ジョブが終了したら、画像形成装置１００をスタンバイモードへ移行させる（Ｓ４０２）。
【０１４１】
ＣＰＵ３０１は、印刷ジョブが終了していない段階（Ｓ４０２）で、画像形成装置１００内でのジャムを検知すると（Ｓ４０３）、画像形成装置１００による画像形成動作を停止、つまり、印刷ジョブを中断させる（Ｓ４０４）。ここで、ＣＰＵ３０１は、センサ群３０６からの信号により、画像形成装置１００内でのジャムを検知する。
【０１４２】
画像形成装置１００内でのジャムを検知しない場合、ＣＰＵ３０１は印刷ジョブが終わるまで印刷ジョブを続行させる（Ｓ４０２、Ｓ４０３）。
【０１４３】
ジャムに伴って記録材１０２が滞留している箇所が第一定着器１５０（第二定着器１７０）以外の場合には、ＣＰＵ３０１は、Ｓ４０６へ移行する（Ｓ４０５）。センサ群３０６の信号を基に、ジャムにより滞留している記録材１０２が取り除かれるまで待機する（Ｓ４０６）。ＣＰＵ３０１は、センサ群３０６からの信号を基に、ジャムにより滞留している記録材１０２が取り除かれたら、前述したウォームアップ処理を実行させる（Ｓ４０７）。
【０１４４】
一方、ＣＰＵ３０１は、ジャムにより記録材１０２が滞留している箇所が第一定着器１５０（第二定着器１７０）であった場合（定着部でのジャム）には、Ｓ４０８に移行する（Ｓ４０５）。ＣＰＵ３０１は、第一定着器１５０のメモリ１５４にジャム履歴を記録する（Ｓ４０８）。
【０１４５】
尚、ＣＰＵ３０１による第一定着器１５０のメモリ１５４へのジャム履歴の記録は、前扉１４０が開放されることに伴って実行してもよい。前扉１４０が開放されても、第一定着器１５０は画像形成装置１００の本体から取り外されない限り通電した状態となっており、ＣＰＵ３０１はメモリ１５４にジャム履歴を記録することができる。
【０１４６】
前述したように、第一定着器１５０はジャム処理に伴い操作者により交換される恐れがある。そのため、第一定着器１５０でのジャムを検知したら、ジャム処理のために操作者により第一定着器１５０が取り外されるまでにメモリ１５４にジャム履歴を記録しておく。
【０１４７】
ＣＰＵ３０１は、センサ１５３、１５５の信号を基に、第一定着器１５０で滞留している記録材１０２が取り除かれるまで待機する（Ｓ４０９）。ＣＰＵ３０１は、第一定着器１５０で滞留している記録材１０２が取り除かれていることを検知したら、立上げシークエンスＳ４１０へ移行する（Ｓ４０９）。このとき、ＣＰＵ３０１は、開閉センサ３０５からの信号を基に前扉１４０が閉じられたことを検知し、前扉１４０が閉じられたことに伴い、第一定着器１５０内の記録材１０２の有無を確認する。
【０１４８】
立上げシークエンスＳ４１０は図６に示すフローに対応している。この立上げシークエンスＳ４１０では、前述したように、第一定着器１５０のメモリ１５４を読み出す（Ｓ３０１）。ここで、ジャム履歴情報の読出しを実施する理由は、ジャム処理のために前扉１４０を開けたタイミングで第一定着器１５０が交換されている可能性がある為である。
【０１４９】
第一定着器１５０の立上げシークエンスＳ４１０あるいはウォームアップ処理Ｓ４０７が完了すると、ＣＰＵ３０１は、画像形成装置１００による画像形成動作を再開、つまり、中断していた印刷ジョブを再開させる（Ｓ４１１）。
【０１５０】
さらに、ＣＰＵ３０１は、操作部１８０に「印刷中です」などの表示を行うことで、画像形成装置１００が印刷を実行できていることを操作者に知らせる（Ｓ４１２）。
【０１５１】
その後、Ｓ４０２に戻り、ＣＰＵ３０１は印刷ジョブが終わるまで印刷ジョブを続行させる（Ｓ４０２、Ｓ４０３）。
【０１５２】
前述したように、操作者による第一定着器１５０の交換には、画像形成装置１００の前扉１４０の開閉を伴う。すなわち、操作者によって画像形成装置１００の前扉１４０が開けられた場合には、第一定着器１５０が交換される可能性がある。また、電源スイッチ１０１がオフの間にも、第一定着器１５０が交換されている可能性がある。そのため、画像形成装置１００の電源スイッチ１０１がオンになったことや、前扉１４０が閉じられたことに伴って、都度、第一定着器１５０のメモリ１５４から情報を読み出し、メモリ１５４のジャム履歴情報を取得する。これによって、ジャムの解消に伴うクリーニング処理が実行されていない第一定着器１５０が画像形成装置１００に装着されても、クリーニング処理が実行されることになるため、出力される記録材１０２の画質が悪化することを抑制することができる。
【０１５３】
以上の説明において、第一定着器１５０を例に説明したが、第二定着器１７０においても同様である。
【０１５４】
〔実施例２〕
実施例１では、定着部でのジャムの解消に伴って行われるクリーニング処理が実行されたか否かの情報を定着器のメモリに保持させている。そして、ＣＰＵ３０１がその情報に基づいて、載せ替え後の定着器に対しクリーニング処理を実行させるか否かの制御をしている。
【０１５５】
実施例２では、定着部でのジャムの解消に伴って行われるクリーニング処理が中断されてしまった場合について説明する。尚、その他の構成は実施例１と同様であるので、同じ構成には同符号を付すことにより、詳細な説明を省略する。
【０１５６】
以下、第一定着器１５０を例に説明する。第二定着器１７０についても同様である。
【０１５７】
例えば、クリーニング処理の実行中に操作者が前扉１４０を開放した場合、ＣＰＵ３０１はクリーニング処理を中断させる。ＣＰＵ３０１は、開閉センサ３０５からの信号を基に前扉１４０が開かれたことを検知する。
【０１５８】
実施例１では、クリーニング処理が完了してからメモリ１５４のジャム履歴をクリアする。そのため、クリーニング処理の実行途中で操作者が前扉１４０を開けて第一定着器１５０を取り出してしまう場合、メモリ１５４のジャム履歴はクリアされない。操作者により再度第一定着器１５０が装着されたときには、ＣＰＵ３０１によりクリーニング処理が最初から実行されてしまう。
【０１５９】
しかしながら、例えば、中断された時点でクリーニング処理が１００秒分のうち８０秒分については実施されていたような場合には、定着ローラ１５１のトナー汚れは、定着部でのジャムが発生した直後よりも大分少なくなっていることが想定される。それにもかかわらず、再装着後に最初からクリーニング処理を１００秒間に亘り実行させてしまうと操作者の待ち時間を増加させてしまうことになる。
【０１６０】
そこで、クリーニング処理が中断された第一定着器１５０が装着された場合、実施例１のクリーニング処理よりも短い短クリーニング処理を実行させる。
【０１６１】
具体的には、定着部でのジャムの解消に伴って行われるクリーニング処理（本実施例では１００秒間）について、“実行済み”又は“処理中断”又は“履歴なし”という３種類のクリーニング履歴の情報を第一定着器１５０のメモリ１５４に保持させる。ＣＰＵ３０１は第一定着器１５０のメモリ１５４から取得する情報が“履歴なし”である（クリーニング履歴のデータがクリアされている）場合にはクリーニング処理が未実行であるとして上述したクリーニング処理（１００秒間）を実行させる。一方、ＣＰＵ３０１は第一定着器１５０のメモリ１５４から取得する情報が“処理中断”である場合には、上述したクリーニング処理（１００秒間）よりも短時間の短クリーニング処理（本実施例では５０秒間）を実行させる。また、ＣＰＵ３０１は第一定着器１５０のメモリ１５４から取得する情報が“実行済み”である場合には、クリーニング処理や短クリーニング処理を実行させない。
【０１６２】
（１３．制御フロー２）
図９〜図１２のフローチャートを用いて説明する。尚、これらのフローチャートは、実行部（記録部）として機能するＣＰＵ３０１が、ＲＯＭ３０３に記憶された制御プログラムに基づいて画像形成装置１００の各種機構の動作を制御することにより行われる。また、第一定着器１５０を例に説明するが、第二定着器１７０においても同様である。
【０１６３】
（１３．１．立上げシークエンス２）
実施例２では、立上げシークエンスのフローが実施例１と異なる。図９は立上げシークエンス２のフローチャートである。図９のフローチャートは、図１０のＳ６１０、図１１のＳ７０２、図１２のＳ８０３の立上げシークエンスの詳細を示している。
【０１６４】
まず、ＣＰＵ３０１は第一装着部１４１に装着された第一定着器１５０のメモリ１５４が記憶しているクリーニング履歴のデータを読み出す（Ｓ５０１）。
【０１６５】
ＣＰＵ３０１は、メモリ１５４のクリーニング履歴が“実行済み”の場合はＳ５０９に移行し、クリーニング履歴が“実行済み”以外の場合はＳ５０３に移行する（Ｓ５０２）。
【０１６６】
ＣＰＵ３０１は、メモリ１５４のクリーニング履歴が“実行済み”以外であって“処理中断”でない場合（すなわち、未実行である場合）はＳ５０４に移行し（Ｓ５０３）、クリーニング部を制御して前述したクリーニング処理を実行させる（Ｓ５０４）。
【０１６７】
ＣＰＵ３０１は、メモリ１５４のクリーニング履歴が“実行済み”以外であって“処理中断”である場合はＳ５０５に移行し（Ｓ５０３）、クリーニング部を制御して前述した短クリーニング処理を実行させる（Ｓ５０５）。
【０１６８】
ＣＰＵ３０１はクリーニング処理又は短クリーニング処理が実行中に中断された場合はＳ５０７に移行し（Ｓ５０６）、メモリ１５４に“処理中断”を示すクリーニング履歴を記録する（Ｓ５０７）。尚、前扉１４０が開放されても、画像形成装置１００と第一定着器１５０とは通電した状態となっており、ＣＰＵ３０１はメモリ１５４に“処理中断”のクリーニング履歴を記憶させることができる。ここで第一定着器１５０への立上げシークエンスは中断となる。
【０１６９】
ＣＰＵ３０１はクリーニング処理又は短クリーニング処理が中断されなかった（完了した）場合はＳ５０８に移行し（Ｓ５０６）、メモリ１５４に“実行済み”のクリーニング履歴を保持させる（Ｓ５０８）。その後、ＣＰＵ３０１は第一定着器１５０を制御して前述したウォームアップ処理を実行させる（Ｓ５０９）。
【０１７０】
クリーニング処理が不要な場合にクリーニング処理を実行させないことにより、電源スイッチ１０１がオンにされてから画像形成装置１００が画像形成を開始可能となるまでの時間として、上述したクリーニング処理の１００秒分を短縮することができる。
【０１７１】
またクリーニング処理が短くてよい場合に、クリーニング処理よりも短時間の短クリーニング処理を実行させる。このことにより、電源スイッチ１０１がオンにされてから画像形成装置１００が画像形成を開始可能となるまでの時間（５０秒分）を短縮することができる。
【０１７２】
尚、短クリーニング処理の実行時間は、上述のように一定時間とするのではなく、クリーニング処理が中断されるまでに実行されたクリーニングの時間に応じて制御してもよい。この場合、クリーニング処理が中断されるまでに実行されたクリーニングの時間をタイマー３０７が計測する。ＣＰＵ３０１はクリーニング履歴と併せてメモリ１５４にクリーニング処理が中断されるまでに実行されたクリーニングの時間（もしくは短クリーニング処理の実行時間）に対応する情報を記録する（Ｓ５０７）。また、ＣＰＵ３０１はクリーニング履歴と併せてこのクリーニングの時間に対応する情報をメモリ１５４から読み出し（Ｓ５０１）、そのクリーニングの時間に基づいて決定される時間に亘って短クリーニング処理を実行させる（Ｓ５０５）。
【０１７３】
このとき、短クリーニング処理の実行時間については、必ずしもクリーニング処理が中断されなかった場合の時間とクリーニング処理が中断されるまでに実行されたクリーニングの時間との差分とする必要はない。例えば、１００秒間のクリーニング処理が５０秒未満で中断された場合は８０秒間の短クリーニング処理を実行させ、５０秒以上１００秒未満で中断された場合は３０秒間の短クリーニング処理を実行させるとしてもよい。
【０１７４】
また、クリーニング処理が、予め設定された所定の時間以下しか実行されずに中断された場合には、クリーニング処理を最初からやり直すために、Ｓ５０７においてＣＰＵ３０１はクリーニング履歴をクリアしたままにしてもよい。
【０１７５】
また、クリーニング処理が中断された第一定着器１５０が再度装着された場合に、短クリーニング処理を入れるかどうかは、操作者の設定で決められるようにしてもよい。すなわち、このような場合に実施例１のようにクリーニング処理を最初から実行させるモードと、このような場合に実施例２のように短クリーニング処理を実行させるモードと、を含む選択肢の中から、操作者が選択できるようにしてもよい。選択部としての操作部１８０が、これらのモードを選択可能な選択画面を表示し、操作者に事前に設定させる。予め設定されたモードが前者のモードである場合、クリーニング処理が実行されずに中断された場合には、クリーニング処理を最初からやり直すために、Ｓ５０７においてＣＰＵ３０１はクリーニング履歴をクリアしたままにする。
【０１７６】
（１３．２．ジャム発生時のシークエンス）
図１０は、定着部でのジャム発生時の処理に関するフローチャート２である。具体的には、画像形成装置１００の印刷ジョブ実行時のフローチャートである。
【０１７７】
Ｓ６０１〜Ｓ６０７は図７のＳ４０１〜Ｓ４０７と同じであるから説明は省略する。
【０１７８】
Ｓ６０８において、ＣＰＵ３０１は第一定着器１５０のメモリ１５４のクリーニング履歴をクリアする。これにより、クリーニング履歴は“履歴なし”となり、上述のクリーニング処理が未実行であることを示す情報となる。
【０１７９】
Ｓ６０９は図７のＳ４０９と同じであるから説明は省略する。
【０１８０】
Ｓ６１０において、ＣＰＵ３０１は図９の立上げシークエンス２を実行する。
【０１８１】
Ｓ６１１〜Ｓ６１２は、図７のＳ４１１〜Ｓ４１２と同じであるから説明は省略する。
【０１８２】
（１３．３．電源オン時及び前扉クローズ時のシークエンス）
図１１は電源スイッチがオンされてからスタンバイモードとなるまでのフローチャート２である。Ｓ７０１、Ｓ７０３はそれぞれ図４のＳ１０１、Ｓ１０３と同じである。Ｓ７０２において、ＣＰＵ３０１は図９の立上げシークエンス２を実行する。
【０１８３】
図１２は前扉が開いている状態からスタンバイモードとなるまでのフローチャート２である。Ｓ８０１、Ｓ８０２、Ｓ８０４はそれぞれ図５のＳ２０１、Ｓ２０２、Ｓ２０４と同じである。Ｓ８０２において、ＣＰＵ３０１は図９の立上げシークエンス２を実行する。
【０１８４】
〔変形例１〕
載せ替えシステムの運用においては、操作者は、自身が印刷したい記録材１０２の種類や好みに応じた定着器に入れ替えて使用する。このとき、操作者が印刷したい記録材１０２に合わせた定着器を使用しないと、より高品質な成果物を得ることができるといった載せ替えシステム採用時のメリットが得られない恐れがある。そこで、本変形例では、画像形成装置１００は、操作者が印刷したい記録材１０２と定着器の用途が一致しているか否かを操作者に知らせるようにしている。
【０１８５】
以下では、定着器の用途と印刷する記録材１０２の種類を対応させる方法について、前述の図６、図７（実施例１）に補足する形で説明する。その他の構成は上述の実施例１と同様であるので、詳細な説明を省略する。また、第一定着器１５０を例に説明するが、第二定着器１７０においても同様である。
【０１８６】
メモリ１５４には第一定着器１５０の用途を示す識別情報として、例えば「封筒用」などの定着器の種類や用途を示す識別情報が予め格納されている。一方、本体メモリ３１２には、識別情報に対応させて定着処理を制限する記録材１０２の種類を示す情報（制限情報）が予め格納されている。
【０１８７】
図６のＳ３０１において、ＣＰＵ３０１は、画像形成装置１００に装着された第一定着器１５０のメモリ１５４が記憶しているデータを読み出すのに併せて、第一定着器１５０のメモリ１５４の識別情報を読み出す。ＣＰＵ３０１は、この識別情報と、本体メモリ３１２が記憶する定着処理を制限する記録材１０２の種類とに基づいて、第一定着器１５０に対して定着処理を制限すべき記録材１０２の種類を把握する。
【０１８８】
図７のＳ４０１において、ＣＰＵ３０１は、操作者から印刷ジョブを受け付ける際に印刷に使用する記録材１０２の種類を操作者に選択させるための選択画面において、第一定着器１５０での定着処理を制限すべき記録材１０２の種類を選択不可にする。
【０１８９】
これによって、操作者が印刷したい記録材１０２に対応しない第一定着器１５０での印刷を制限することができ、より高品質な成果物を得られる。
【０１９０】
尚、定着処理を制限する記録材１０２の種類に対応する情報は、本体メモリ３１２ではなく第一定着器１５０のメモリ１５４に記憶させておいてもよい。その場合、ＣＰＵ３０１はＳ３０１でのメモリ１５４からのデータの読み出しに併せて、第一定着器１５０のメモリ１５４から、定着処理を制限する記録材１０２の種類に対応する情報を読み出す（Ｓ３０１）。ＣＰＵ３０１は、この定着処理を制限する記録材１０２の種類に基づいて、第一定着器１５０に対して定着処理を制限すべき記録材１０２の種類を把握する。
【０１９１】
また、本変形例は、実施例１に補足する形で説明したが、実施例２に適用してもよい。実施例２に適用する場合も同様であるから、説明は省略する。
【０１９２】
〔変形例２〕
以上の説明では、ＣＰＵ３０１は、定着部でのジャムの解消に伴って行われるクリーニング処理が実行された否かの情報を第一定着器１５０のメモリ１５４及び第二定着器１７０のメモリ１７４に保持させる構成とした。メモリ１５４、１７４だけでなく、ＣＰＵ３０１によりメモリ１５４、１７４への情報の書き込みと並行して本体メモリ３１２にも同じ情報をバックアップする構成としてもよい。
【０１９３】
〔変形例３〕
以上の説明では、ＣＰＵ３０１は、定着部でのジャムの解消に伴って行われるクリーニング処理が実行済みである場合には、クリーニング処理を実行させずにウォームアップ処理を実行させるとしたが、後述のような例外処理を実行する構成としてもよい。つまり、本例では、このような例外処理を実行する場合があっても、「定着部でのジャムの解消に伴って行われるクリーニング処理が実行済みである場合に、クリーニング処理を実行させずにウォームアップ処理を実行させる」ということを意味する。
【０１９４】
具体的には、ＣＰＵ３０１は、定着部でのジャムの解消に伴って行われるクリーニング処理が実行済みであっても、例外的に、稀に、クリーニング処理を実行させる構成としてもよい。
【０１９５】
例えば、複数回の定着処理を経て蓄積された定着ローラ１５１のトナー汚れを除去する目的で、ＣＰＵ３０１は立上げシークエンスの累積の実行回数１００回に１回の割合で、クリーニング処理が実行済みである場合にもクリーニング処理を実行させる。この場合、ＣＰＵ３０１は、第一定着器１５０での立上げシークエンスの累積の実行回数をメモリ１５４に記録し、この記録された累積の実行回数に基づいて例外処理を実行する。
【０１９６】
また例えば、ＣＰＵ３０１は、何らかの理由でメモリ１５４からの情報の読み出しに失敗した場合、クリーニング処理を実行させる。読み出しに失敗した情報がクリーニング処理が未実行であることを示す情報であった場合に、出力される記録材１０２の画質が悪化してしまうことを抑制するためである。
【０１９７】
ただし、クリーニング処理が実行済みである場合にもクリーニング処理を実行させると、電源スイッチ１０１をオンにしてから画像形成装置１００が画像形成を開始可能となるまでの時間を短縮することができない。そのため、本変形例は例外的に実行するものとし、上述のようにクリーニング処理が実行済みである場合には、クリーニング処理を実行させないとする構成の方がより好ましい。
【０１９８】
尚、第一定着器１５０を例に説明したが、第二定着器１７０においても同様である。
【０１９９】
〔変形例４〕
以上の説明では、操作部１８０は表示画面と選択キーとを備えるが、表示画面をタッチパネルとして、タッチパネルの画面が選択部として操作者の動作指示を受け付けてもよい。
【０２００】
〔変形例５〕
また、回収回転体は、定着ローラ１５１、１７１の外側から定着ローラ１５１、１７１を加熱するために内部にヒーターを備える中空ローラ（外部加熱部材）であってもよい。
【０２０１】
また、以上の説明ではクリーニング部を定着ローラ１５１側に設けているが、加圧ベルト１５２（回転体として機能する）側に設けて、定着ローラ１５１表面のトナーを加圧ベルト１５２に転移させてからクリーニングする構成としてもよい。その場合には、クリーニング処理において、定着ローラ１５１表面のトナーを加圧ベルト１５２に転移させるために定着ローラ１５１と加圧ベルト１５２を当接させる。また上述した例と同様に、クリーニング処理を始める前にまず加圧ベルト１５２をトナーが固まらない程度に加熱させて、その後、クリーニング処理を実行させるのが望ましい。第二定着器１７０においても同様である。
【０２０２】
また、以上の説明では、ウェブクリーナー（１５６〜１６０）を用いて定着部（第一定着器１５０、第二定着器１７０）でのジャムの解消に伴い実行されるクリーニング処理を行う構成としているが、クリーニング処理を行う構成はこれに限らない。例えば、定着ローラ１５１、１７１にスポンジ状のローラを従動回転させることでクリーニング処理を行う構成としてもよい。
【０２０３】
〔変形例６〕
また以上の説明では、定着部（第一定着器１５０、第二定着器１７０）でのジャムの解消に伴い実行されるクリーニング処理をウェブクリーナー（１５６〜１６０）を用いて行う構成としているが、次のような構成としてもよい。
【０２０４】
記録材１０２を用いてクリーニング処理を行う構成である。
【０２０５】
この手法によれば、上述したウェブクリーナーのようなクリーニング機構が設けられていない場合でも、定着部でのジャムの発生に伴う定着ローラ１５１や定着ローラ１７１のトナー汚れを除去することができる。具体的には、クリーニング処理を行う際には、所定枚数の記録材１０２を定着部（第一定着器１５０、第二定着器１７０）に強制的に通過させて、トナー汚れを記録材１０２に転移させる、というものである。その後、トナーが転移された記録材１０２は、画像形成装置１００外に排出される。
【０２０６】
この場合、ＣＰＵ３０１は、メモリ１５４が記憶する情報がクリーニング処理が未実行であることを示している場合、搬送部３０８を制御して所定枚数の記録材１０２を第一定着器１５０（第二定着器１７０）へ連続して搬送し、機外に排出させる。尚、第二定着器１７０においても同様である。搬送する記録材１０２の枚数は、予め適宜設定しておけばよく、本変形例では１０枚となっている。
【０２０７】
〔変形例７〕
また、以上では、第一定着器１５０と第二定着器１７０を備える画像形成装置１００を例に説明した（タンデム定着）。しかし画像形成装置１００は第一定着器１５０のみを有する構成としてもよい。
【０２０８】
〔変形例８〕
また、以上では、画像形成装置１００は、イエロー、マゼンタ、シアン、ブラックのトナー像を形成する像形成部（ステーション１２０〜１２３）を有するカラーの画像形成装置を例に説明したが、単色の画像形成装置であってもよい。例えば、ブラックのトナー画像を形成するモノクロの画像形成装置などである。
【０２０９】
〔変形例９〕
また、以上の説明では、画像形成装置１００は、中間転写体としての中間転写ベルト１１５を有する構成（中間転写方式）としたが、以下の構成（直接転写方式）としてもよい。
【０２１０】
この場合、画像形成部３０９として、像形成部（ステーション１２０〜１２３）と、転写部として機能する転写搬送ベルトとを備える。像形成部（ステーション１２０〜１２３）は、転写搬送ベルトと当接するように設けられている。画像形成装置１００は、記録材１０２を、記録材収納部１０３から転写搬送ベルトへ搬送する。転写搬送ベルトは、記録材１０２と静電吸着しながら記録材１０２を搬送するベルトであって、転写搬送ベルトを介して像形成部と対向する位置（ベルトの内周側）に転写ローラを備える。転写ローラは、像担持体上に形成されたトナー像を、転写搬送ベルトにより搬送される記録材１０２に転写する。これにより、記録材１０２にトナー像（未定着）を形成する。
【符号の説明】
【０２１１】
１００  画像形成装置
１０２  記録材
１４１  第一装着部
１４２  第二装着部
１５０  第一定着器
１５１  定着ローラ
１５３  センサ
１５４  メモリ
１５５  センサ
１５６  回収ローラ
１５７  巻き取りローラ
１５８  押圧ローラ
１５９  供給ローラ
１６０  ウェブ
１７０  第二定着器
１７１  定着ローラ
１７３  センサ
１７４  メモリ
１７５  センサ
１８０  報知部
３０１  ＣＰＵ
３０９  画像形成部
【図１】
2017015914.tif 000003
【図２】
2017015914.tif 000004
【図３】
2017015914.tif 000005
【図４】
2017015914.tif 000006
【図５】
2017015914.tif 000007
【図６】
2017015914.tif 000008
【図７】
2017015914.tif 000009
【図８】
2017015914.tif 000010
【図９】
2017015914.tif 000011
【図１０】
2017015914.tif 000012
【図１１】
2017015914.tif 000013
【図１２】
2017015914.tif 000014